【事件の表示】
　特許第６０５０８２６号発明「エアロゾル発生装置用の引出器」の特許異議申立事件について、次のとおり決定する。
【結　論】
　特許第６０５０８２６号の特許請求の範囲を訂正請求書に添付された訂正特許請求の範囲のとおり、訂正後の請求項〔１−１０〕について訂正することを認める。
　特許第６０５０８２６号の請求項１−１３に係る特許を維持する。
【理　由】
第１　手続の経緯 
　特許第６０５０８２６号（以下、「本件特許」という。）の請求項１〜１３に係る特許についての出願は、２０１２年１１月２０日（パリ条約による優先権主張外国庁受理２０１１年１１月２１日　欧州特許庁（ＥＰ）、２０１２年２月１３日　欧州特許庁（ＥＰ））を国際出願日とする出願であって、平成２８年１２月２日に特許権の設定登録がなされ、同年１２月２１日に特許掲載公報が発行されたところ、平成２９年６月１４日に特許異議申立人山本美映子（以下、「申立人」という。）より全請求項について特許異議の申立てがされた。
　そして、当審において、同年８月３０日付けで取消理由を通知したところ、その指定期間内である同年１２月１３日付けで特許権者より意見書が提出された。
　その後、当審において、平成３０年３月１２日付けで取消理由（決定の予告）を通知したところ、その指定期間内である同年７月３日付けで特許権者より意見書と訂正請求書が提出され、申立人より同年８月７日付けで意見書が提出された。
　以下、平成３０年７月３日付け訂正請求書を「本件訂正請求書」といい、これに係る訂正を「本件訂正」という。 
  
第２　本件訂正の可否
１．本件訂正の内容
　本件訂正は、本件特許の特許請求の範囲の請求項１〜１０を、本件訂正請求書に添付した訂正特許請求の範囲のとおり、訂正後の請求項１〜１０について訂正を求めるものであって、その訂正の内容は次のとおりである。
（１）訂正事項１
　特許請求の範囲の請求項１に「前記引出器（１０１）は、第１の位置と第２の位置の間で移動可能にエアロゾル発生装置に結合され、」とあるのを、「前記引出器（１０１）は、前記エアロゾル形成基材を含むエアロゾル発生物品を受け入れるための摺動レセプタクル（１０５）を含み、第１の位置と第２の位置の間で移動可能にエアロゾル発生装置に結合され、」に訂正する。
（２）訂正事項２
　特許請求の範囲の請求項２に「前記引出器（１０１）は、前記エアロゾル形成基材を含むエアロゾル発生物品を受け入れるための摺動レセプタクル（１０５）を含み、開口が、」とあるのを「開口が、」に訂正する。
２．本件訂正の適否
（１）訂正事項１について
　訂正事項１は、訂正前の請求項１記載の「引出器」に関して、「エアロゾル形成基材を含むエアロゾル発生物品を受け入れるための摺動レセプタクルを含」む旨を特定することを目的とするものであるから、特許請求の範囲の減縮を目的としたものである。
　この点、申立人は、平成３０年８月７日付け意見書（以下、「申立人意見書」という。）において、訂正により請求項１に加えられた、「Ａ）引出器（１０１）が摺動レセプタクル（１０５）を含むこと」及び「Ｂ）摺動レセプタクル（１０５）がエアロゾル形成基材を受け入れること」について、「Ａ）に関しては、・・・引出器が手動レセプタクル以外の要素を含まない場合、引出器＝摺動レセプタクルとなる。この場合、Ａ）の訂正事項は、引出器を摺動レセプタクルに言い換えたにすぎない。」、また、「引出器を含むエアロゾル発生装置がエアロゾル形成基材を受け入れることが、訂正前の請求項１に既に特定されている。そうすると、Ｂ）で特定した摺動レセプタクルがエアロゾル形成基材を受け入れることは、訂正前の請求項１に既に特定されている。」から、上記Ａ）及びＢ）の事項は、請求項１の技術的範囲を何ら狭めるものではなく「特許請求の範囲の減縮」に相当するものではないと主張している（申立人意見書１頁下から７行〜２頁１３行）。
　しかし、上記Ａ）の事項についての申立人の主張は、「引出器が摺動レセプタクル以外の要素を含まない場合」の主張であるが、請求項１の記載は、引出器が摺動レセプタクル以外の要素を含まない場合に限定されるものではないから、上記主張を採用することはできない。
　また、上記Ｂ）の事項についても、訂正前の請求項１には、引出器を含むエアロゾル発生装置がエアロゾル形成基材を受け入れる旨の記載はあるが、具体的にエアロゾル発生装置のどこでエアロゾル形成基材を受け入れるかについては特定されておらず、本件訂正によりはじめて、エアロゾル形成基材を受け入れる部分が摺動レセプタクルに限定されたのであるから、上記Ｂ）で特定した摺動レセプタクルがエアロゾル形成基材を受け入れることは、訂正前の請求項１に既に特定されていたとすることはできない。
　よって、本件訂正は、上記Ａ）及びＢ）の事項により請求項１の記載を減縮しているものと認められ、請求項１の技術的範囲を何ら狭めるものではなく「特許請求の範囲の減縮」にはあたらないとする申立人の主張は採用できない。
　そして、訂正事項１に係る内容は、訂正前の請求項２の「前記引出器（１０１）は、前記エアロゾル形成基材を含むエアロゾル発生物品を受け入れるための摺動レセプタクル（１０５）を含み、」の記載並びに明細書の段落【０００８】の「本明細書で用いる場合に、用語『エアロゾル発生物品』及び『喫煙物品』は、エアロゾルを形成することができる揮発性化合物を放出することができるエアロゾル形成基材を含む物品を指す。」の記載及び段落【００１４】の「引出器は、エアロゾル形成物品（審決注：「エアロゾル発生物品」の誤記と思われる。）を受け入れるための摺動レセプタクルを含むことができ、」の記載に基づくものであるから、新規事項を付加するものではないし、特許請求の範囲を拡張・変更するものでもない。
（２）訂正事項２について
　訂正事項２は、本件訂正により、訂正前の請求項２の「引出器」が、「エアロゾル形成基材を含むエアロゾル発生物品を受け入れるための摺動レセプタクルを含」むという発明特定事項が、引用する請求項１に加えられたのに伴って、重複を避けるため、当該発明特定事項を請求項２から削除することを目的とするものであるから、明瞭でない記載の釈明を目的とするものである。
　そして、訂正事項２は、訂正前請求項２で特定していた上記発明特定事項を、引用する請求項１で特定したものであるから、請求項２の内容を実質的に変更するものではなく、新規事項を付加するものではないし、特許請求の範囲を拡張・変更するものでもない。
（３）一群の請求項に係る訂正か否かについて
　訂正前の請求項１〜１０は、請求項３〜１０が直接又は間接的に請求項２を引用するものであると共に、請求項２は請求項１を直接引用するものである。
　よって、訂正前の請求項３〜１０は、訂正事項１及び２に係る請求項１及び２の訂正により、連動して訂正されるものであるから、本件訂正の請求は一群の請求項に対してなされたものである。
  
３．小括
　以上のとおりであるから、本件訂正は特許法第１２０条の５第２項第１号及び第３号に掲げる事項を目的とするものであり、かつ、同条第４項及び同条第９項において準用する同法第１２６条第５項及び第６項の規定に適合するもので、訂正後の請求項〔１〜１０〕についての訂正を認める。
第３　本件発明 
　上記のとおり本件訂正は認められるので、本件特許の請求項１〜１３に係る発明（以下、各請求項の番号に従い、それぞれを「本件特許発明１」等といい、まとめて「本件特許発明」という。）は、次のとおりのものである。
  
「【請求項１】 
　エアロゾル形成基材（２０３）を受け入れることができるエアロゾル発生装置（１）であって、 
　前記エアロゾル形成基材（２０３）を加熱するためのものであり、かつ該エアロゾル形成基材（２０３）の内部部分（２１１）を貫通するように構成された加熱器（１１５）と、 
　エアロゾル発生装置に受け入れられた前記エアロゾル形成基材を引き出すための引出器（１０１）と、 
　を含み、 
　前記引出器（１０１）は、前記エアロゾル形成基材を含むエアロゾル発生物品を受け入れるための摺動レセプタクル（１０５）を含み、第１の位置と第２の位置の間で移動可能にエアロゾル発生装置に結合され、該第１の位置は、前記加熱器（１１５）が前記エアロゾル形成基材（２０３）と接触することによって定められる作動位置であり、該第２の位置は、該エアロゾル形成基材（２０３）が該加熱器（１１５）から分離することによって定められる引出位置であり、前記引出器が、第１及び第２の位置の両方で前記エアロゾル発生装置に結合されたままであることを特徴とする装置（１）。 
【請求項２】 
　開口が、該引出器が前記第１の位置にある時に該摺動レセプタクル内に受け入れられた該エアロゾル形成基材を前記加熱器が貫通することを可能にするために該摺動レセプタクルの壁を通って形成されることを特徴とする請求項１に記載の装置（１）。 
【請求項３】 
　前記摺動レセプタクル（１０５）が前記第１及び第２の位置の間でスリーブ（１０３）内で摺動するように配置されるような該摺動レセプタクル（１０５）を受け入れるためのスリーブ（１０３）を含むことを特徴とする請求項２に記載の装置（１）。 
【請求項４】 
　前記摺動レセプタクル（１０５）は、前記スリーブ（１０３）に当接するように配置されたフランジ（１０７）を含むことを特徴とする請求項３に記載の装置（１）。 
【請求項５】 
　前記摺動レセプタクル（１０５）が装置（１）から滑り出るのを防止するためのストッパ（４０１）を更に含むことを特徴とする請求項２から請求項４のいずれか１項に記載の装置（１）。 
【請求項６】 
　前記摺動レセプタクル（１０５）が前記第１及び第２の位置の間で移動する時に該摺動レセプタクル（１０５）を案内するためのガイドピン（１１０）を更に含むことを特徴とする請求項２から請求項５のいずれか１項に記載の装置（１）。 
【請求項７】 
　前記エアロゾル形成基材（２０３）は、喫煙物品（２０１）内に与えられ、前記摺動レセプタクル（１０５）は、該喫煙物品（２０１）が前記引出器（１０１）に受け入れられた時に前記第１の位置にあることを特徴とする請求項２から請求項６のいずれか１項に記載の装置（１）。 
【請求項８】 
　前記エアロゾル形成基材（２０３）を支持するための支持体（１０５ｂ）が、前記摺動レセプタクル（１０５）の面を含み、該面は、空気の貫流を許すための少なくとも１つの開口（１０９）を含むことを特徴とする請求項２から請求項７のいずれか１項に記載の装置（１）。 
【請求項９】 
　前記摺動レセプタクル（１０５）は、前記エアロゾル形成基材（２０３）が該摺動レセプタクル（１０５）に受け入れられ、かつ該摺動レセプタクル（１０５）が前記第１の位置にある時に該エアロゾル形成基材（２０３）を把持するための把持手段（１１１）を含むことを特徴とする請求項２から請求項８のいずれか１項に記載の装置（１）。 
【請求項１０】 
　前記摺動レセプタクル（１０５）は、前記エアロゾル形成基材（２０３）が前記加熱器（１１５）によって加熱されるように正しく位置決めされた時に該エアロゾル形成基材（２０３）が当接する面を含むことを特徴とする請求項２から請求項９のいずれか１項に記載の装置。 
【請求項１１】 
　エアロゾル形成基材（２０３）を含む喫煙物品（２０１）を加熱式エアロゾル発生装置から引き出す方法であって、該加熱式エアロゾル発生装置が、該エアロゾル形成基材（２０３）を加熱してエアロゾルを形成するための加熱器（１１５）と該加熱式エアロゾル発生装置に結合され、かつ該喫煙物品（２０１）を受け入れるための摺動レセプタクル（１０５）を含む引出器（１０１）とを含み、 
　前記方法は、 
　前記摺動レセプタクル（１０５）に受け入れられた喫煙物品（２０１）と共に該摺動レセプタクル（１０５）を該喫煙物品（２０１）の前記エアロゾル形成基材（２０３）が前記加熱器（１１５）によって加熱されるように位置決めされた第１の位置から該喫煙物品（２０１）の該エアロゾル形成基材（２０３）が該加熱器（１１５）から実質的に分離された第２の位置まで摺動させる段階であって、該喫煙物品（２０１）の該エアロゾル形成基材（２０３）が、該摺動レセプタクル（１０５）上の支持体（１０５ｂ）によって該摺動させる段階中に支持され、前記引出器が、第１及び第２の位置の両方で前記加熱式エアロゾル発生装置に結合されたままである前記摺動させる段階と、 
　前記喫煙物品（２０１）を前記摺動レセプタクル（１０５）から取り出す段階と、 
　を含む、 
　ことを特徴とする方法。 
【請求項１２】 
　前記加熱式エアロゾル発生装置は、電気加熱器を含む電気加熱式エアロゾル発生装置であることを特徴とする請求項１１に記載の方法。 
【請求項１３】 
　前記喫煙物品は、タバコを含むことを特徴とする請求項１１又は請求項１２に記載の方法。」 
  
第４　取消理由の概要 
　本件特許に対する、平成２９年８月３０日付け取消理由の概要は次のとおりである。 
  
１．取消理由１（明確性） 
　本件特許発明１に係る特許請求の範囲の記載には不備があり、本件特許発明１及びこれを引用する本件特許発明２〜１０に係る特許は特許法第３６条第６項第２号に規定する要件を満たしていない特許出願に対してなされたものであるから、同法第１１３条第４号に該当し、取り消されるべきものである。 
  
２．取消理由２（進歩性） 
　本件特許発明１〜１３は、その優先日前に日本国内又は外国において頒布された甲第１〜６号証に記載された発明に基いて、その優先日前にその発明の属する技術の分野における通常の知識を有する者が容易に発明をすることができたものであり、特許法第２９条第２項の規定に違反するから、上記請求項に係る特許は、同法第１１３条第２号に該当し、取り消されるべきものである。 
  
 　　　　　　　　　　　　＜甲号証一覧＞ 
甲第１号証　特表平１１−５０７７１８号公報 
甲第２号証　米国特許第５５９１３６８号明細書 
甲第３号証　特表平１１−５０３９１２号公報 
甲第４号証　米国特許第５３８８５９４号明細書 
甲第５号証　特開平７−１８４６２７号公報 
甲第６号証　特開２０１０−１７８７３０号公報 
　なお、以下それぞれを「甲１」等という。 
  
第４　当審の判断 
１．甲号証の記載について 
（１）甲１には、以下の各事項が記載されている。 
（１ａ）「本発明の好ましい例では、喫煙者による作動でライター穴からシガレットの少なくとも一部を排出するように位置されたプランジャーの如き機構を含む排出システムが提供される。」（９頁１７〜１９行） 
  
（１ｂ）「シガレット２３はライター２５の前端２９でオリフィス２７に挿入されるように及びオリフィス２７から除去されるように適応されている。」（１０頁２１〜２３行） 
  
（１ｃ）「シガレット２３を加熱するための、好ましくはライター２５に対してシガレットを保持するための実質的に円筒形の加熱設備３９、及び電力源３７から加熱設備のシガレット加熱素子１２０に予め決められた量のエネルギーを送るための電気コントロール回路４１はライターの前部分３３に配置されることが好ましい。」（１１頁２１〜２４行） 
  
（１ｄ）「好ましい例では、加熱設備３９はハブから伸びるように支持された複数の均等に又は不均等に半径方向に間隔をあけて配置された加熱ブレード１２０を含み、それらは挿入されたシガレット２３の周囲で多数の、例えば８つの領域を加熱するために回路４１の制御下で電力源３７によって個々に電圧を印加される。」（１２頁１〜５行） 
  
（１ｅ）「加熱素子１２０はタバコフレーバーを発生するためにタバコを加熱するためのいかなる好適な加熱素子も含むことができる。例えば、加熱システムは米国特許Ｎｏ．５３８８５９４、米国出願シリアルＮｏ．０８／３８０７１８（１９９５年１月３０日出願）、シリアルＮｏ．０８／２２５１２０（１９９４年４月８日出願）、シリアルＮｏ．０８／２２４８４８（１９９４年４月８日出願）、シリアルＮｏ．０８／３１４４６３（１９９４年９月２８日出願）、シリアルＮｏ．０８／３３３４７０（１９９４年１１月２日出願）、シリアルＮｏ．０８／３７０１２５（１９９５年１月９日出願）、及びシリアルＮｏ．０８／４２６１６５（１９９４年４月２０日出願、発明の名称”Heater for Use in an Electrical Smoking System”）に開示された抵抗及び誘導加熱システムのいかなるものも含むことができる。」（１２頁９〜１９行） 
  
（１ｆ）「喫煙システム２１で使用するための好適なシガレット２３は米国特許Ｎｏ．５３８８５９４及びシリアルＮｏ．０８／３８０７１８（１９９５年１月３０日出願）シリアルＮｏ．０８／４２５１６６（１９９５年４月２０日出願、発明の名称”Cigarette for Electrical Smoking System”）及びシリアルＮｏ．０８／４２５８３７（１９９５年４月２０日出願、発明の名称“Cigarette for Electrical Smoking System”）に詳細に記載され示されており、それらの全体が参考としてここに組入れられる。但し、いかなる好適なシガレットも使用できる。」（１４頁４〜１１行） 
  
（１ｇ）「各ブレード１２０は表わされた例では抵抗ヒーター素子を形成する。」（１５頁３行） 
  
（１ｈ）「図２Ａ−３Ｃを参照すると、本発明による排出システムが示されている。図２Ａ−２Ｄで最もわかるように、前面２１２を有するプランジャー２１０が与えられている。以下に詳細に記載されるように、プランジャー２１０はライター内の３つの位置（即ち引っ込まれた又は作用位置Ａ、第１の伸ばされた又は排出位置Ｂ及び第２の伸ばされた又は保護位置Ｃ）において位置可能である。以下で説明されるように、位置ＢとＣは組合せることができる。」（１５頁１７〜２２行） 
  
（１ｉ）「引っ込まれた又は作用位置Ａでは、プランジャー２１０はプランジャー２１０が穴５０Ａの外の引っ込まれた位置Ａから位置Ｂに移動可能でかつ穴５０Ａ中に戻ってその引っ込まれた位置Ａに移動可能であるように充分な間隔（例えば約３ミリの隙間）を有するベース５０によって規定される穴５０Ａに位置される。」（１５頁２２〜２６行） 
  
（１ｊ）「例えば、示されたようにプランジャー２１０の前端は後方の部分より大きな直径を有し、ベース５０は穴５０Ａ内に対応する形状を規定し、それによって静止位置Ａのプランジャー５０のために止めが形成される。」（１５頁２６行〜１６頁１行） 
  
（１ｋ）「例えば、従来のフィリップス型のヘッドを有するショルダーピン２３５はプランジャー前面２１２に規定される穴２１５に挿入され、プランジャー２１０を通ってアーム２３０の末端に押し嵌められる。」（１６頁４〜７行） 
  
（１ｌ）「アーム２３０はその外側表面に形成された３つの円周溝又は戻り止め２３０Ａ，２３０Ｂ及び２３０Ｃを与えられる。ボール２１６が与えられ、それはベース５０の穴に設けられたスプリング２１７によって偏らされている。スプリングで偏らされたボール２１６はスプリング２５０の圧縮力に対してアーム２３０を静止して保持するように十分な力をだすことによって戻り止め２３０Ａ，２３０Ｂ及び２３０Ｃの選択されたものとボール−戻り止め関係を形成する。戻り止め２３０Ａ，２３０Ｂ及び２３０Ｃはアーム２３０の外側表面上に間隔をあけて配置され、それの末端に接続されたプランジャー２１０の（１）引っ込まれた又は作用位置Ａ、（２）第１の伸ばされた又は排出位置Ｂ及び（３）第２の伸ばされた又は保護位置Ｃにそれぞれ相当する。スプリングで偏らせたボール２１６の保持力は喫煙者によって手で抑えられ、あるいは別の方法でスイッチ２４５を所望の方向に作動させ、スプリングで偏らせたボール２１６との係わりから離れるように戻り止めを移動したり、スプリングで偏らせたボール２１６との係わりが得られるようにアーム２３０の別の戻り止めを移動し、それによって望むとおりに連続対応位置Ａ，Ｂ又はＣでプランジャー２１０を静止して位置させることができる。この望ましいプランジャーの位置は隣接した位置又は第３の残りの位置のいずれかである。」（１６頁２１行〜１７頁９行） 
  
（１ｍ）「ライター２５を作動するために、喫煙者はまず例えばライター開口又はオリフィス２７から最も遠い位置にスイッチを位置させる。それはプランジャー２１０の引っ込まれた又は作用位置Ａに相当し、図２Ａに示されたようにヒーターブレード１２０によって規定される円筒形穴中へのシガレット２３の挿入を可能にする。」（１７頁１４〜１８行） 
  
（１ｎ）「特に、排出システムは（１）プランジャー２１０の位置Ａがヒーターブレード１２０によって規定される円筒形シガレット受口の遠端に（即ち挿入開口の反対側に）設けられる、（２）挿入されたシガレット端がプランジャー前面２１２と接する、及び（３）シガレット２３がヒーターブレード１２０に対して望むように位置される、ように配置される。」（１７頁１８〜２２行） 
  
（１ｏ）「挿入されたシガレット端はこの挿入端からシガレットを通る中央気流が実質的に妨げられるようにプランジャー前面２１２に接しており、それによって吸引時に気流は特に前に加熱されたシガレット区域を介してシガレット側面を通るように横方向に最初に向けられる。もしプランジャー前面２１２と挿入されたシガレット端の間の界面が気密であるなら、シガレットロッドは崩壊するか又はそうでなければ区域を加熱する前の特に最初の吸い込みにおいて横方向の気流のためのすき間を満足に与えることができない。従って、一定の気流がプランジャー２１０の側面からプランジャー前面２１２と挿入されたシガレット端の間に、そしてそれらの間の円周間隙を介して又はプランジャー２１０に形成された溝２１３を介してシガレットを通って長手方向に向けられる。」（１７頁２８行〜１８頁１０行） 
  
（１ｐ）「ライター２５からシガレットを除去するために、喫煙者は例えば手でスイッチ２４５を作動し、特にシガレット排出の方向に（即ちライター２５の開口又はオリフィス２７の方に）スイッチ２４５を押し、アーム戻り止め２３０Ａからスプリングで偏らせたボール２１６を離し、（ａ）プランジャー２１０の休止又は“喫煙”位置Ａに相当するスイッチ位置から（ｂ）図２Ｂに示されたようなプランジャー２１０の第１の伸ばされた又は排出位置Ｂに相当するスイッチ位置に移動する。プランジャー２４５は従って排出方向に移動し、シガレット２３の挿入端を押し、シガレット２３の挿入端を開口２７の方に移動し、それによって少なくとも部分的にシガレット２３を排出する。明確化のため、シガレット排出の方向は図２Ｂの矢印によって表わされ、シガレット２３は示されていない。」（１８頁２５行〜１９頁７行） 
  
（１ｑ）「位置Ｂ及びＣは排出するために及びもし戻り止めがスプリングで偏らせたボール２１６と静止して係わるならライター内部を保護するために任意に単一の位置に組合される。」（２２頁２１〜２３行） 
  
　以上の（１ａ）〜（１ｑ）によると、甲１には以下の発明（以下、「甲１発明」という。）が記載されていると認められる。 
  
「オリフィスを備え、シガレットが、前端で、オリフィスに挿入されるように及びオリフィスから除去されるように適応されているライターであって、シガレットを加熱するための、好ましくはライターに対してシガレットを保持するための実質的に円筒形の加熱設備と、ライターからシガレットを除去するプランジャーと、を含み、プランジャーはライター内の３つの位置（即ち引っ込まれた又は作用（“喫煙”）位置Ａ、第１の伸ばされた又は排出位置Ｂ及び第２の伸ばされた又は保護位置Ｃ）において位置可能であり、位置Ｂ及びＣは任意に単一の位置に組み合わされるライター。」 
  
　また、甲１には以下の方法発明（以下、「甲１方法発明」という。）が記載されていると認められる。 
 　 
「ライターからシガレットを除去する方法であって、ライターは、シガレットを加熱するための、好ましくはライターに対してシガレットを保持するための実質的に円筒形の加熱設備と、ライターからシガレットを除去するプランジャーとを含み、前記方法は、プランジャーをライター内の３つの位置（即ち引っ込まれた又は作用(“喫煙”)位置Ａ、第１の伸ばされた又は排出位置Ｂ及び第２の伸ばされた又は保護位置Ｃ）で移動させて、シガレットの挿入端を押し、シガレットの挿入端を開口の方に移動する段階とシガレットを排出する段階を、を含む方法。」 
  
（２）甲２には、以下の事項が記載されている。 
（２ａ）「In another embodiment 470 shown in FIGS. 13 and 14, heating elements 471 are spaced somewhat further from the wall of cavity 430, and each is provided with a somewhat sharper “V” tip 472, as well as with fold 473 to increase their rigidity. In this way, heating elements 471 actually pierce and extend into the disposable portion to provide the desired intimate thermal contact. 」（２１欄２９〜３６行） 
（対訳：図１３と１４において示された他の実施例４７０においては、加熱素子４７１はくぼみ４３０の壁から幾分か更に間隔を置かれていて、そして各々にはその剛性を増すために折り重ね４７３と同様に幾分鋭いＶ字形先端４７２が設けられる。このようにして、加熱素子４７１は所望の親密な熱的接触を与えるために使い捨て部中に突き刺し延入する。） 
  
（３）甲３には、以下の事項が記載されている。 
（３ａ）「図２２と２３において示された他の実施例４７０においては、加熱素子４７１はくぼみ４３０の壁から幾分か更に間隔を置かれていて、そして各々にはその剛性を増すために折り重ね４７３と同様に幾分鋭いＶ字形先端４７２が設けられる。このようにして、加熱素子４７１は所望の親密な熱的接触を与えるために使い捨て部中に突き刺し延入する。」（７０頁１０〜１４行） 
  
（４）甲６には、以下の各事項が記載されている。 
（４ａ）「以下、本願発明に係る市販の紙巻き煙草や葉巻として、フィルター付き紙巻き煙草を例に挙げ、図面を参照しながら以下に詳細に説明する。」（段落【００３３】） 
  
（４ｂ）「治具は、図１に１つの実施例の外観を示す。治具１００は、フィルター付き紙巻き煙草９０を挿入する煙草挿入口９と、突起部１０と、動作状態を示す表示器５と、外部からの電力を受取るコネクター６（図２に図示）と、外部空気取り入れ口８と図２中に示す内部構成品からなる。」（段落【００３４】） 
  
（４ｃ）「ヒーター１の熱が外部ケース３に伝導することを防ぐ熱的絶縁管２」（段落【００３５】） 
  
（４ｄ）「フィルター付き紙巻き煙草の挿入停止位置を決めるストッパー４」（段落【００３５】） 
  
（４ｅ）「１． 喫煙者は、自分の好みのフィルター付き紙巻き煙草９０を、治具１００の煙草挿入口９に、ストッパー４で止まる所まで挿入する。これにより、細いヒーター１が、フィルター付き紙巻き煙草９０の煙草部９２中に挿入される。この挿入された状態の本願治具と挿入されたフィルター付き紙巻き煙草９０との位置関係を、図４に示す。 
２． 喫煙者は、本願治具のコネクター６より電力を供給し、ヒーター１の温度上昇により煙草部９２の葉が、直接加熱され、ニコチンが蒸発するまで待つ。ここで、表示器５は、吸引可能になったことを知らせる時もあるが、単に加熱状態のみを表示する時もある。」（段落【００３７】） 
  
（４ｆ）「３． 喫煙者は、煙草の葉が加熱され、煙草の葉からニコチンが蒸発し始めると、本願治具に、フィルター付き煙草９０を挿入したまま、あるいは、本願治具から、フィルター付き煙草９０を抜き出して、フィルター９１から、煙草の葉から蒸発しているニコチンを吸引する。」（段落【００３７】） 
  
（４ｇ）「ストッパー４は、円盤状でバネ性を有する外側爪４１と、バネ性を有する内側爪４２を持っており、それぞれ熱的絶縁管２と、ヒーター１とバネにより摩擦力を生じ、任意の所で固定される。」（段落【００５６】） 
  
（４ｈ）「図８に、他の実施例によるストッパー４の構造を示す。本実施例のストッパーを使用するために、治具１００の外側ケース３の側面に、溝４５を設け、熱的絶縁管２との間に空間を設ける。この空間に、図８−２、図８−３に示すストッパー４３を挿入するものである。ストッパーの位置決めは、ストッパー位置決めツマミ４４により行うことは説明を要しない。」（段落【００５７】） 
  
以上の（４ａ）〜（４ｈ）によると、甲６には以下の発明（以下、「甲６発明」という。）が記載されていると認められる。 
  
「フィルター付き紙巻き煙草を挿入する煙草挿入口からなる治具、であって、喫煙者は、自分の好みのフィルター付き紙巻き煙草を、煙草挿入口に、ストッパーで止まる所まで挿入する治具であって、 
フィルター付き紙巻き煙草の煙草部中に挿入される細いヒーターと、 
ストッパー位置決めツマミにより位置決めされるストッパーと、 
を含む治具。」 
  
２．取消理由１について 
　取消理由１は、「本件特許発明１は、『該第１の位置は、前記加熱器（１１５）が前記エアロゾル形成基材（２０３）と接触することによって定められる作動位置であり、該第２の位置は、該エアロゾル形成基材（２０３）が該加熱器（１１５）から分離することによって定められる引出位置であり、』という点を特定している。しかしながら、この第１の位置及び第２の位置は、加熱器と、本件特許発明１の発明の構成要件ではない『エアロゾル形成基材』との位置関係を基準として定義されたものである。このため、エアロゾル形成基材を発明の構成要件としない本件特許発明１の装置において、エアロゾル形成基材を基準として定められた第１の位置と第２の位置は、具体的にどの位置を示すのかが不明確である。」（特許異議申立書３７頁１５〜２５行）というものである。 
　しかし、本件特許発明１は、引出器が、加熱器を備えたエアロゾル発生装置に受け入れられたエアロゾル形成基材を引き出すためのものであることを前提として、前記引出器は、第１の位置と第２の位置の間で移動可能にエアロゾル発生装置に結合されていて、加熱器がエアロゾル形成基材と接触する位置を第１の位置とし、また加熱器がエアロゾル形成基材から分離する位置を第２の位置として規定していると理解できるから、不明確な点はない。 
  
　なお、申立人は、「具体的には例えば、本件発明１の装置にエアロゾル形成基材が備えられていない状態では、エアロゾル形成基材は加熱器から常に分離した状態にあるので、第１の位置は、その文言上存在し得ないこととなる。また、引出器が例えば位置Ａと位置Ｂとの間を移動可能であり、位置Ａ及び位置Ｂの両方でエアロゾル形成基材が加熱器と接触可能な場合において、引出器が位置Ｂにあるときに喫煙者がエアロゾル形成基材を手動で引き抜く動作をしたとする。この場合、位置Ｂでは、エアロゾル形成基材と加熱器が接触した状態と分離した状態の両方が生じ得るので、位置Ｂは第１の位置と第２の位置の両方に相当し得ることとなってしまう。」（特許異議申立書３７頁２６〜最終行）と主張している。 
　しかし、本件特許発明は、引出器で加熱器を備えたエアロゾル発生装置に受け入れられたエアロゾル形成基材を引き出すためのものであることからすれば、本件特許発明の通常の使用態様ではエアロゾル形成基材がエアロゾル発生装置に受け入れられていると認められるから申立人の主張を採用することはできない。 
　以上のとおりであるから、本件特許発明１に係る特許請求の範囲の記載には不備があるとはいえないから、本件特許発明１及びこれを引用する本件特許発明２〜１０に係る特許は特許法第３６条第６項第２号に規定する要件を満たしていないと言うことはできない。 
  
３．取消理由２について 
（１）甲１を主引例とする取消理由の検討 
ア．請求項１について 
（ア）対比 
　本件特許発明１と甲１発明を対比すると、甲１発明の「シガレット」は、加熱されてタバコフレーバーを発生するものであるから、本件発明１の「エアロゾル形成基材」に、また、甲１発明の「ライター」は、オリフィスによりシガレット（エアロゾル形成基材）を受け入れることができるから、本件特許発明１の「エアロゾル発生装置」及び「装置」にそれぞれ相当する。 
　また、甲１発明の「加熱設備」は、シガレット（エアロゾル形成基材）を加熱するためのものであるから、本件特許発明１の「加熱器」に相当する。　更に、甲１発明の「プランジャー」は、ライター（エアロゾル発生装置）に受け入れられたシガレット（エアロゾル形成基材）を引き出すものであるから、本件特許発明１の「引出器」に相当する。 
　そして、当該プランジャーの作用（“喫煙”）位置Ａは、本件特許発明１の「第１の位置」に、また排出位置Ｂ及び保護位置Ｃは、本件特許発明１の「第２の位置」に相当する。 
　してみれば、両発明は次の一致点及び相違点１を有する。 
  
＜一致点＞ 
　エアロゾル形成基材を受け入れることができるエアロゾル発生装置であって、 
　前記エアロゾル形成基材を加熱するための加熱器と、 
　エアロゾル発生装置に受け入れられた前記エアロゾル形成基材を引き出すための引出器と、 
　を含み、 
　前記引出器は、第１の位置と第２の位置の間で移動可能にエアロゾル発生装置に結合され、該第１の位置は、前記加熱器が前記エアロゾル形成基材と接触することによって定められる作動位置であり、該第２の位置は、該エアロゾル形成基材が該加熱器から分離することによって定められる引出位置であり、前記引出器が、第１及び第２の位置の両方で前記エアロゾル発生装置に結合されたままである装置。 
  
＜相違点１＞ 
　本件特許発明１は、加熱器がエアロゾル形成基材の内部部分を貫通するように構成されており、引出器がエアロゾル形成基材を含むエアロゾル発生物品を受け入れるための摺動レセプタクルを含むのに対し、甲１発明は、そのように構成されていない点。 
  
（イ）判断 
　以下、上記相違点１について検討する。
　甲１発明の引出器は、摺動レセプタクルを含んでおらず、甲１発明のプランジャーの構成からすれば、当該プランジャーに摺動レセプタクルを設ける動機付けはなく、甲１発明に基いて本件発明１を当業者が容易に発明をすることができたと言うことはできないし、仮に動機付けがあったとしても、甲２〜６には、摺動レセプタクルを引出器に設ける構成については記載されていない。
　また、仮に摺動レセプタクルを採用できるとしても、甲２〜６の記載に基づき、甲１発明の加熱設備（加熱器）としてエアロゾル形成基材の内部部分を貫通する構成のものを採用すると共に、当該摺動レセプタクルを採用した場合には、加熱器と摺動レセプタクルの干渉を避けるため、摺動レセプタクルに加熱器を貫通する構成を備える必要性があり、そのような構成を採用してまでプランジャー２１０（引出器）に摺動レセプタクルを採用することが、単なる設計的事項であるということはできない。
　よって、本件特許発明１の相違点１に係る構成を甲１発明及び甲２〜６の記載事項に基づいて、当業者が容易に発明をすることができたと言うことはできない。
　なお、申立人は、申立人意見書において、「訂正請求項後の請求項１における、『受け入れる』は、広く解釈すべきであり、プランジャー２１０がシガレット２３に接して支持するような場合も含むものである。」と主張している（２頁２５〜２８行）が、一般的な用語の解釈として「受け入れる」の用語をそのように広く解することはできない。
（ウ）小括 
　以上のとおりであるから、本件特許発明１は甲１発明及び甲２〜６の記載事項に基づいて、当業者が容易に発明をすることができたものではない。 
  
 イ．請求項２ないし１０について 
　請求項２ないし１０は、いずれも請求項１の記載を直接又は間接的に引用するものであり、請求項１の記載を更に減縮するものであるから、本件特許発明１が甲１発明から当業者が容易に発明をすることができたと言うことはできない以上、本件特許発明２ないし１０も甲１発明から当業者が容易に発明をすることができたと言うことはできない。 
　なお、申立人は、申立人意見書において、請求項２についても甲１発明及び周知の手段に基づいて当業者が容易に発明できた旨主張している（申立人意見書３頁９〜３２行）が、上記ア．で検討したように、甲１発明にはそもそも摺動レセプタクルを設ける動機付けがないのであるから、あえて加熱器との干渉を避けるために、摺動レセプタクルに加熱器を貫通する開口を設けてまでプランジャー２１０（引出器）に摺動レセプタクルを採用することを単なる設計事項ということはできない。
　以上のとおりであるから、本件特許発明２ないし１０は甲１発明及び周知の手段に基いて当業者が容易に発明をすることができたものではない。 
  
ウ．請求項１１〜１３について 
（ア）対比 
　本件特許発明１１と甲１方法発明を対比すると、甲１方法発明の「シガレット」は、加熱されてタバコフレーバーを発生し、これを喫煙するためのものであるから、本件特許発明１１の「エアロゾル形成基材を含む喫煙物品」に、また、甲１方法発明の「ライター」は、シガレット（エアロゾル形成基材を含む喫煙物品）を受け入れ加熱するものであるから、本件特許発明１１の「加熱式エアロゾル発生装置」にそれぞれ相当する。 
　また、甲１方法発明の「加熱設備」は、シガレット（エアロゾル形成基材を含む喫煙物品）を加熱してエアロゾルを発生させるためのものであるから、本件特許発明１１の「加熱器」に相当する。 
　更に、甲１方法発明の「プランジャー」は、ライター（エアロゾル発生装置）に受け入れられたシガレット（エアロゾル形成基材を含む喫煙物品）に結合し、摺動することにより引き出すものであるから、本件特許発明１１の「引出器」に相当する。 
　そして、当該プランジャーの摺動により、「シガレット」は「ライター」から引き出されており、当該プランジャーの作用（“喫煙”）位置Ａでは、シガレットは加熱設備より加熱され、また、排出位置Ｂ及び保護位置Ｃでは、シガレットは加熱設備から分離されることになるから、甲１方法発明の作用（“喫煙”）位置Ａ並びに排出位置Ｂ及び保護位置Ｃは、それぞれ本件特許発明１の「第１の位置」並びに「第２の位置」に相当する。 
　してみれば、両発明は次の一致点を有し、少なくとも相違点２で相違する。 
  
＜一致点＞ 
　エアロゾル形成基材を含む喫煙物品を加熱式エアロゾル発生装置から引き出す方法であって、該加熱式エアロゾル発生装置が、該エアロゾル形成基材を加熱してエアロゾルを形成するための加熱器と該加熱式エアロゾル発生装置に結合される引出器とを含み、前記方法は、該喫煙物品の前記エアロゾル形成基材が前記加熱器によって加熱されるように位置決めされた第１の位置から該喫煙物品の該エアロゾル形成基材が該加熱器から実質的に分離された第２の位置まで摺動させる段階であって、該喫煙物品の該エアロゾル形成基材が、前記引出器が、第１及び第２の位置の両方で前記加熱式エアゾル発生装置に結合されたままである前記摺動させる段階と、前記喫煙物品を取り出す段階と、を含む方法。 
  
＜相違点２＞ 
　本件特許発明１１は、引出器が、エアロゾル形成基材を含む喫煙物品を受け入れるための摺動レセプタクルに係る構成を含み、喫煙物品のエアロゾル形成基材が、摺動レセプタクル上の支持体によって摺動させる段階中に支持されるのに対し、甲１方法発明は、そのような構成を有していない点。 
  
（イ）判断 
　以下、上記相違点２について検討する。 
　甲１方法発明の引出器は、摺動レセプタクルを含んでおらず、甲１方法発明のプランジャーの構成からすれば、当該プランジャーにレセプタクルを設ける動機付けはない。 
　よって、当該プランジャーを摺動させる段階中、シガレットをレセプタクルにより支持する構成を採用することが、甲１方法発明に基いて当業者が容易にできたと言うことはできない。 
　また、甲２〜６にも摺動レセプタクルを引出器に設ける構成については記載されていない。 
　よって、本件特許発明１１を甲１発明及び甲２〜６に基いて当業者が容易に発明をすることができたと言うことはできない。 
　そして、請求項１２及び１３は、いずれも請求項１１の記載を直接又は間接的に引用するものであり、請求項１１の記載を更に減縮するものであるから、本件特許発明１１が甲１方法発明に基いて当業者が容易に発明できたと言うことはできない以上、本件発明１２及び１３も甲１方法発明に基いて当業者が容易に発明できたと言うことはできない。 
　なお、申立人は、「甲１発明のプランジャー２１０は、シガレットを受ける部材という点で共通している。」と主張している（特許異議申立書５１頁最終行〜５２頁２行）が、プランジャー２１０は、エアロゾル形成基材を含む喫煙物品を受け入れるものとしての「シガレットを受ける部材」にあたるとはいえない。 
（ウ）小括 
　以上のとおりであるから、本件特許発明１１ないし１３は甲１方法発明に基いて当業者が容易に発明をすることができたものではない。 
  
（２）甲６を主引例とする取消理由の検討 
（ア）対比 
　本件特許発明１と甲６発明を対比すると、甲６発明の「フィルター付き紙巻き煙草」は、エアロゾルを形成するものであることは明らかであるから、本件特許発明１の「エアロゾル形成基材」に、また、甲６発明の「治具」は、煙草挿入口よりフィルター付き紙巻き煙草（エアロゾル形成基材）を受け入れて、煙草の葉を加熱するものであるから、本件特許発明１の「エアロゾル発生装置」にそれぞれ相当する。 
　また、甲６発明の「細いヒーター」は、フィルター付き紙巻き煙草（エアロゾル形成基材）を加熱するためのものであり、かつフィルター付き紙巻き煙草（エアロゾル形成基材）の内部部分を貫通するように構成されているから、本件特許発明１の「加熱器」に相当する。 
　してみれば、両発明は次の一致点及び相違点３を有する。 
＜一致点＞ 
　エアロゾル形成基材を受け入れることができるエアロゾル発生装置であって、 
　前記エアロゾル形成基材を加熱するためのものであり、かつ該エアロゾル形成基材の内部部分を貫通するように構成された加熱器を含む装置。 
  
 ＜相違点３＞ 
 　本件特許発明１は、エアロゾル発生装置に受け入れられた前記エアロゾル形成基材を引き出すための引出器とを含み、前記引出器は、前記エアロゾル形成基材を含むエアロゾル発生物品を受け入れるための摺動レセプタクルを含み、第１の位置と第２の位置の間で移動可能にエアロゾル発生装置に結合され、該第１の位置は、前記加熱器が前記エアロゾル形成基材と接触することによって定められる作動位置であり、該第２の位置は、該エアロゾル形成基材が該加熱器から分離することによって定められる引出位置であり、前記引出器が、第１及び第２の位置の両方で前記エアロゾル発生装置に結合されたままであるのに対し、甲６発明は、そのような引出器を含んでいない点。 
  
（イ）判断 
　以下、上記相違点３について検討する。 
　甲６発明には、ストッパー位置決めツマミにより位置決めされるストッパーが設けられているが、当該ストッパーはフィルター付き紙巻き煙草（エアロゾル形成基材）の位置決めのために設けられたものであり、フィルター付き紙巻き煙草（エアロゾル形成基材）を細いヒータ（加熱器）から分離する引出位置まで移動させるものではないから、当該ストッパーを本件特許発明１の引出器に相当すると言うことはできない。 
　また、甲１に引出器に係る記載があるとしても、甲６発明のストッパーを甲１の引出器に置き換える動機付けはないし、甲１発明の引出器は摺動レセプタクルを含んでいないから、甲６発明及び甲１の記載事項に基いて本件特許発明１を当業者が容易に発明をすることができたと言うことはできない。
　そして、請求項２ないし１０は、いずれも請求項１の記載を直接又は間接的に引用するものであり、請求項１の記載を更に減縮するものであるから、本件特許発明１が甲６発明に基いて本件特許発明１を当業者が容易に発明をすることができたと言うことはできない以上、本件特許発明２ないし１０も甲６発明に基いて当業者が容易に発明をすることができたと言うことはできない。 
　また、本件特許発明１１は甲６発明との対比において、本件特許発明１と同様の相違点を有するから、同様の理由により、本件特許発明１１を甲６発明及び甲１の記載事項に基いて当業者が容易に発明をすることができたと言うことはできない。
　更に、請求項１２及び１３は、いずれも請求項１１の記載を直接又は間接的に引用するものであり、請求項１１の記載を更に減縮するものであるから、本件特許発明１１が甲６発明に基いて当業者が容易に発明をすることができたと言うことはできない以上、同様に本件特許発明１２及び１３も当業者が容易に発明をすることができたと言うことはできない 
  
（ウ）小括 
　以上のとおりであるから、本件特許発明１ないし１３は甲６発明に基いて当業者が容易に発明をすることができたものではない。 
  
第５　取消理由通知において採用しなかった特許異議申立理由について 
　申立人は、特許異議申立書の「（４−４）申立の理由２：特許法第２９条第１項第３号」（３８頁３行〜４６頁２７行）において、本件特許発明１ないし８及び１０ないし１３は甲１に、また、本件特許発明１ないし８及び１０は甲６に記載されたものである旨主張している。 
　しかし、上記第４　３．（１）ア．（ア）で示したとおり、本件特許発明１と甲１発明は上記相違点１を有し、これは実質的な相違であるから、引用する発明を含めて本件特許発明１ないし８及び１０が甲１に記載されていると言うことはできない。 
　また、本件特許発明１１と甲１方法発明は上記相違点３を有し、これは実質的な相違であるから、引用する発明を含めて本件特許発明１１ないし１３が甲１に記載されていると言うことはできない。 
　さらに、本件特許発明１と甲６発明は上記相違点４を有し、これは実質的な相違であるから、引用する発明を含めて本件特許発明１ないし８及び１０が甲６に記載されていると言うことはできない。 
  
第６　むすび 
　以上のとおりであるから、請求項１〜１３に係る特許は、取消理由通知に記載した取消理由及び特許異議申立書に記載した特許異議申立理由によって、取り消すことができない。 
　また、他に本件特許の請求項１〜１３に係る特許を取り消すべき理由を発見しない。 
  
　よって、結論のとおり決定する。
【異議決定日】
平成３０年９月２８日（２０１８．９．２８）
【訂正の要旨】
審決（決定）の【理由】欄参照。
（５７）【特許請求の範囲】
　【請求項１】
　エアロゾル形成基材（２０３）を受け入れることができるエアロゾル発生装置（１）であって、
　前記エアロゾル形成基材（２０３）を加熱するためのものであり、かつ該エアロゾル形成基材（２０３）の内部部分（２１１）を貫通するように構成された加熱器（１１５）と、
　エアロゾル発生装置に受け入れられた前記エアロゾル形成基材を引き出すための引出器（１０１）と、
　を含み、
　前記引出器（１０１）は、
前記エアロゾル形成基材を含むエアロゾル発生物品を受け入れるための摺動レセプタクル（１０５）を含み、
　【請求項２】
　開口が、該引出器が前記第１の位置にある時に該摺動レセプタクル内に受け入れられた該エアロゾル形成基材を前記加熱器が貫通することを可能にするために該摺動レセプタクルの壁を通って形成されることを特徴とする請求項１に記載の装置（１）。
　【請求項３】
　前記摺動レセプタクル（１０５）が前記第１及び第２の位置の間でスリーブ（１０３）内で摺動するように配置されるような該摺動レセプタクル（１０５）を受け入れるためのスリーブ（１０３）を含むことを特徴とする請求項２に記載の装置（１）。
　【請求項４】
　前記摺動レセプタクル（１０５）は、前記スリーブ（１０３）に当接するように配置されたフランジ（１０７）を含むことを特徴とする請求項３に記載の装置（１）。
　【請求項５】
　前記摺動レセプタクル（１０５）が装置（１）から滑り出るのを防止するためのストッパ（４０１）を更に含むことを特徴とする請求項２から請求項４のいずれか１項に記載の装置（１）。
　【請求項６】
　前記摺動レセプタクル（１０５）が前記第１及び第２の位置の間で移動する時に該摺動レセプタクル（１０５）を案内するためのガイドピン（１１０）を更に含むことを特徴とする請求項２から請求項５のいずれか１項に記載の装置（１）。
　【請求項７】
　前記エアロゾル形成基材（２０３）は、喫煙物品（２０１）内に与えられ、前記摺動レセプタクル（１０５）は、該喫煙物品（２０１）が前記引出器（１０１）に受け入れられた時に前記第１の位置にあることを特徴とする請求項２から請求項６のいずれか１項に記載の装置（１）。
　【請求項８】
　前記エアロゾル形成基材（２０３）を支持するための支持体（１０５ｂ）が、前記摺動レセプタクル（１０５）の面を含み、該面は、空気の貫流を許すための少なくとも１つの開口（１０９）を含むことを特徴とする請求項２から請求項７のいずれか１項に記載の装置（１）。
　【請求項９】
　前記摺動レセプタクル（１０５）は、前記エアロゾル形成基材（２０３）が該摺動レセプタクル（１０５）に受け入れられ、かつ該摺動レセプタクル（１０５）が前記第１の位置にある時に該エアロゾル形成基材（２０３）を把持するための把持手段（１１１）を含むことを特徴とする請求項２から請求項８のいずれか１項に記載の装置（１）。
　【請求項１０】
　前記摺動レセプタクル（１０５）は、前記エアロゾル形成基材（２０３）が前記加熱器（１１５）によって加熱されるように正しく位置決めされた時に該エアロゾル形成基材（２０３）が当接する面を含むことを特徴とする請求項２から請求項９のいずれか１項に記載の装置。
　【請求項１１】
　エアロゾル形成基材（２０３）を含む喫煙物品（２０１）を加熱式エアロゾル発生装置から引き出す方法であって、該加熱式エアロゾル発生装置が、該エアロゾル形成基材（２０３）を加熱してエアロゾルを形成するための加熱器（１１５）と該加熱式エアロゾル発生装置に結合され、かつ該喫煙物品（２０１）を受け入れるための摺動レセプタクル（１０５）を含む引出器（１０１）とを含み、
　前記方法は、
　前記摺動レセプタクル（１０５）に受け入れられた喫煙物品（２０１）と共に該摺動レセプタクル（１０５）を該喫煙物品（２０１）の前記エアロゾル形成基材（２０３）が前記加熱器（１１５）によって加熱されるように位置決めされた第１の位置から該喫煙物品（２０１）の該エアロゾル形成基材（２０３）が該加熱器（１１５）から実質的に分離された第２の位置まで摺動させる段階であって、該喫煙物品（２０１）の該エアロゾル形成基材（２０３）が、該摺動レセプタクル（１０５）上の支持体（１０５ｂ）によって該摺動させる段階中に支持され、前記引出器が、第１及び第２の位置の両方で前記加熱式エアロゾル発生装置に結合されたままである前記摺動させる段階と、
　前記喫煙物品（２０１）を前記摺動レセプタクル（１０５）から取り出す段階と、
　を含む、
　ことを特徴とする方法。
　【請求項１２】
　前記加熱式エアロゾル発生装置は、電気加熱器を含む電気加熱式エアロゾル発生装置であることを特徴とする請求項１１に記載の方法。
　【請求項１３】
　前記喫煙物品は、タバコを含むことを特徴とする請求項１１又は請求項１２に記載の方法。